(57)【要約】【課題】日射の反射率、赤外線カット率や可視光透過率の高い日除けシートを使用するため、室内の空調環境を改善することができる外付けシェードを提供する。【解決手段】外付けシェードは、建物のガラス戸やガラス窓などの開口部の外側に張装されると共に、紫外線カット機能およびストレッチ機能を有する織編物を素材とする日除けシートと、該日除けシートの両側縁を着脱自在に取付け固定すると共に、上記開口部の外側の床スラブと天井（庇）スラブとの間に固定される支持材と、該支持材の上部に左右端部が固定されると共に、上記日除けシートの上端縁を取付け固定する横架材から構成される。【選択図】  図１
2013238012.tif 000002
【特許請求の範囲】
【請求項１】
建物のガラス戸やガラス窓などの開口部の外側に張装されると共に、紫外線カット機能およびストレッチ機能を有する織編物を素材とする日除けシートと、該日除けシートの両側縁を着脱自在に取付け固定すると共に、上記開口部の外側の床スラブと天井（庇）スラブとの間に固定される支持材と、該支持材の上部に左右端部が固定されると共に、上記日除けシートの上端縁を取付け固定する横架材から構成されることを特徴とする外付けシェード。
【請求項２】
上記日除けシートの両側縁を袋状に加工して心材を挿設すると共に、該両側縁の上下方向の適当な位置に取付テープ材を付設し、該取付テープ材を上記支持材に巻き付けて、上記日除けシートの両側縁を上記支持材に着脱自在に取付け固定することを特徴とする請求項１に記載の外付けシェード。
【請求項３】
上記日除けシートの上端縁を袋状に加工して心材を挿設すると共に、該上端縁の水平方向の適当な位置に取付テープ材を付設し、該取付テープ材を上記横架材に巻き付けて、上記日除けシートの上端部を上記横架材に着脱自在に取付けることを特徴とする請求項１または２に記載の外付けシェード。
【請求項４】
上記取付テープ材を上記横架材に摺動可能に巻き付けて、上記日除けシートの上端部を上記横架材に沿ってスライド可能に取付けることを特徴とする請求項３に記載の外付けシェード。
【請求項５】
上記日除けシートを左右に分けて、その分離縁部に伸縮式線ファスナーを取り付け、左右に開くことが可能なように構成したことを特徴とする請求項１、２、３または４に記載の外付けシェード。
【発明の詳細な説明】
【技術分野】
【０００１】
本発明は、建物のガラス戸やガラス窓などの開口部の外側（屋外側）に、陽射しを遮蔽したり目隠し等を目的として設置される、外付けシェードに関する。
【背景技術】
【０００２】
一般に、建物のガラス戸などからは、特に夏季においては、強い陽射しが室内に差し込み、室内の空調環境を阻害する。従来のカーテンはガラス戸の内側（室内側）に設置されて陽射しを遮るが、閉めた状態では部屋が閉鎖空間となり、終日室内照明が必要となるだけでなく、景色や太陽光が遮断され、開放感のない圧迫された生活空間となっていた。
【０００３】
また従来、ガラス窓などの開口部の屋外側に遮光スクリーンを設け、この遮光スクリーンを開口部の上方に設けた巻き取り器により巻き取ったり繰り出して、遮光スクリーンにより開口部を遮断あるいは解放する外付けシェードがあった。（特許文献１）
【先行技術文献】
【特許文献】
【０００４】
【特許文献１】特開２００１−１２３７６８
【発明の概要】
【発明が解決しようとする課題】
【０００５】
しかしながら、上記従来の外付けシェードは、遮光スクリーンの両側が規制（固定）されていないので、風等によりパタパタとはためいたり煽られて、特に幅の広いガラス戸用の外付けシェードでは、遮光機能や目隠し機能が十分発揮できない等の問題点があり、また、巻き取り器など、機材費用がかかってコスト高となる等の問題点があった。
【課題を解決するための手段】
【０００６】
本発明は、上記従来の問題点を解決するためになされたもので、その目的とするものは、安定して張装することできるだけでなく、安価で迅速かつ容易に取り付けることができる外付けシェードを提供することにある。
【発明の効果】
【０００７】
本発明の外付けシェードは、以下のような効果を奏する。
１）日射の反射率、赤外線カット率や可視光透過率の高い日除けシートを使用するため、室内の空調環境を改善することができる。
２）    ストレッチ機能を有し、メッシュで構成されている日除けシートを使用するため、弱力でもピンと張ることができ、風の抵抗を受け難い。
３）ガラス戸やガラス窓の外側に床スラブと天井（庇）スラブがあれば、日除けシートの取り付けが容易かつ迅速にできる。
４）日除けシートを中央部で分割して、ファスナーで一体化すると共に左右に分離可能な構成としたので、極めて容易かつ迅速に開閉できる。
【図面の簡単な説明】
【０００８】
【図１】本発明の外付けシェードの一実施例を示す正面図である。
【図２】図１の日除けシートを左右に開いた状態の正面図である。
【図３】図１の日除けシートを片側に収納した状態の正面図である。
【図４】図１の左右の突っ張り棒の下端部をガラス戸から遠ざけた状態の側面図である。
【図５】本発明の外付けシェードの別の実施例を示す作用説明図である。
【発明を実施するための形態】
【０００９】
以下、本発明の外付けシェードの実施例について、図面を参照しながら具体的に説明する。
図１において、外付けシェードは、日除けシート１と、支持材２と、横架材３から構成されている。
【００１０】
上記日除けシート１は、その内側に位置するガラス戸やガラス窓の大きさ（縦寸法および横寸法）とほぼ同じ大きさを有し、その素材は、紫外線カット機能およびストレッチ機能を有する織編物である。紫外線カット機能を有する織編物としては、太陽光を部分的に遮るよう所望の開口率（例えば、５０〜８５％）に織編成された織編物が好適である。なお、織編物に後加工で紫外線吸収剤を施してもよい。本実施例の日除けシート１の日射・遠赤外線反射率は約５７％、および紫外線カット率は約８０％である。また、可視光透過率は約５２％である。さらに、通気度（cc/cm2/sec）は約４００〜４５０ cc/cm2/secである。
【００１１】
ストレッチ機能を有する織編物としては、伸縮性のある繊維で目ずれのないように織成された織物あるいは、トリコット編地などの編物であれば、従来公知の織編物のいずれでもよい。なお、前記織編物の縁取りとして、この織編物より伸度が大きい縁取テープを使用したり、伸度が大きい糸で縁取することにより、たるみが生じることなく、張装することができる。本実施例の日除けシート１は、防炎加工が施され耐薬品性や撥水性が高い。
【００１２】
上記日除けシート１の両側縁は、袋状に加工されていて塩ビ管等の心材１ａが挿設されていると共に、該両側縁の上下方向の適当な位置（本実施例では３箇所）に点または面ファスナー等の取付テープ材１ｂが付設されていて、上記支持材２に巻き付けて、上記日除けシート１の両側縁を該支持材２に着脱自在に取付け固定するようになっている。
【００１３】
上記日除けシート１の上端縁も、袋状に加工されていて塩ビ管等の心材１ｃが挿設されていると共に、上記上端縁の水平方向の適当な位置（本実施例では１０箇所）に点または面ファスナー等から成る取付テープ材１ｄが付設されていて、該取付テープ材１ｄを上記横架材３に巻き付けて、上記日除けシート１の上端部を該横架材３に着脱自在に取付けるようになっている。上記取付テープ材１ｄを上記横架材３に摺動可能に巻き付けて、上記日除けシートの上端部を上記横架材に沿ってスライド可能に取付けるようにしてもい。
【００１４】
上記日除けシート１は、左右に分けられていて、その分離縁部には伸縮式線ファスナー１ｅが取り付けられており、例えば、図２に示すように、左右に開くことができる。
【００１５】
上記支持材２は、伸縮自在に構成されていて、ベランダなどの床スラブＦと上階のベランダの天井（庇）スラブＴとの間に突っ張り棒状に固定する。該支持材２のベランダへの固定は、これに限定するものではなく、従来公知の取付け固定手段であればいずれでもよい。また、これら左右の支持材２、２の上部には、上記横架材３の左右端部をクランプなどの連結具Ｒにより固定して、外付けシェードのフレーム（枠組み）構造を構成し設置する。
【００１６】
上述のように設置したフレームの上記横架材３に、上記日除けシート１の上端縁を上記取付テープ１ｄにより結び付け、続いて、上記左右の支持材２に、該日除けシート１の左右両側縁を上記取付テープ１ｂにより結び付けて、
日除けシート１を張装する。なお、上記横架材３は、上記日除けシート１を結び付けてから、上記支持材２に組み付けるようにしてもよい。
【００１７】
図２に示すように、上記伸縮式線ファスナー１ｅの上記日除けシート１を、上記伸縮式ファスナーのスライダーを引き上げることにより、左右に開くことができる。開いた日除けシート１は、その中間部を絞って上記支持材２に結び付けることにより、優雅な外観に納めることができる。本実施例では、日除けシート１の上端部は分離しない構造となっているが、分離させて左右に分かれるようにしてもよい。また、本実施例では、伸縮式線ファスナー１ｅを使用したが、釦やホックのような点ファスナーや、面ファスナーであってもよい。この際、日除けシート１の伸縮を妨げない構成とする。
【００１８】
図３に示すように、カーテン仕様となっている上記日除けシート１は、不使用の場合、一方の支持材２側にまとめて収納することができる。その場合、上記日除けシート１の上端縁は、心材１ｃを省略して、ループやフックでスライド可能に上記横架材３に吊り下げるようにする。
【００１９】
図４に示すように、上記日除けシート１の心材１ａを支持材２から外して、心材の下端部をベランダの外方に移動させ、適当な錘Ｗで引っ張って固定したり、ベランダの手摺りなどにも、固定することもできる。
また、図５に示すように、上記支持材２の中間部に腕材２ａを上下に揺動かつ伸縮可能に枢着し、上記日除けシート１を実線あるいは点線のように庇状に構成することもできる。
【００２０】
設置場所：ベランダ（家屋に沿って外側に張り出した縁側・濡れ縁）、テラス（建物の前面にあるコンクリート・煉瓦などを敷き詰めた露台）、バルコニー（建物の室外へ張り出した屋根のない手摺り付き露台）
【符号の説明】
【００２１】
１    日除けシート
１ａ  心材
１ｂ  取付テープ材
１ｃ  心材
１ｄ  取付テープ材
１ｅ  伸縮式ファスナー
２    支持材
２ａ  腕材
３    横架材
Ｆ    床スラブ
Ｔ    天井（庇）スラブ
Ｒ    連結具
Ｗ    錘
【図１】
2013238012.tif 000003
【図２】
2013238012.tif 000004
【図３】
2013238012.tif 000005
【図４】
2013238012.tif 000006
【図５】
2013238012.tif 000007